(57)【特許請求の範囲】
【請求項１】
互いに直交する前後方向及び幅方向と、
着用者の排泄口と対向する排泄口当接域と、
前記排泄口当接域の後側に位置する後側域と、
少なくとも前記排泄口当接域及び前記後側域に配置される吸収体と、を有し、
前記吸収体は、前記排泄口当接域と前記後側域との間において前記幅方向に延びる第１低目付領域と、前記後側域において前記幅方向の中心を結ぶ中心線に沿って前記前後方向に延びる第２低目付領域と、を有しており、
前記第２低目付領域は、前記第１低目付領域と繋がっており、
前記排泄口当接域の前記吸収体は、前記第１低目付領域及び前記第２低目付領域の目付よりも高い目付からなり、
前記第１低目付領域は、前記幅方向に沿って、前記吸収体の一端から他端まで連続的に延びており、
前記前後方向における前記第１低目付領域の長さは、前記中心線の位置で１０ｍｍ以上かつ５０ｍｍ以下である、吸収性物品。
【請求項２】
互いに直交する前後方向及び幅方向と、
吸収体と、
前記幅方向における前記吸収体の外側縁よりも前記幅方向の外側に延出し、使用時に折り返し可能なウイングと、
前記前後方向における前記ウイングの前端縁と前記ウイングの後端縁との間の領域であるウイング域と、
前記ウイング域よりも後側に位置する後側域と、を有し、
前記吸収体は、前記前後方向における前記ウイングの中心よりも後側、かつ前記前後方向における前記後側域の中心よりも前側において、前記幅方向に延びる第１低目付領域と、前記後側域において前記幅方向の中心を結ぶ中心線に沿って前記前後方向における前記後側域の中心よりも後側まで延びる第２低目付領域と、を有しており、
前記第２低目付領域は、前記第１低目付領域と繋がっており、
前記排泄口当接域の前記吸収体は、前記第１低目付領域及び前記第２低目付領域の目付よりも高い目付からなり、
前記第１低目付領域は、前記幅方向に沿って、前記吸収体の一端から他端まで連続的に延びており、
前記前後方向における前記第１低目付領域の長さは、前記中心線の位置で１０ｍｍ以上かつ５０ｍｍ以下である、吸収性物品。
【請求項３】
前記第１低目付領域は、平面視において、後方に向かって凸状に湾曲している、請求項１又は２に記載の吸収性物品。
【請求項４】
前記吸収体は、液体を吸収する吸収材料を含む吸収コアを有し、
前記吸収性物品は、前記吸収コアよりも肌面側のシートと前記吸収コアよりも非肌面側のシートとの圧着部を有し、
前記圧着部は、前記第１低目付領域内に沿って延びた第１圧着部と、前記第２低目付領域内に沿って延びた第２圧着部と、を含む、請求項１から３のいずれか１項に記載の吸収性物品。
【請求項５】
少なくとも前記吸収コアよりも肌面側で前記吸収コアを覆うコアラップと、
前記コアラップよりも肌面側に設けられた肌面シートと、を有し、
前記第１圧着部及び前記第２圧着部の少なくとも一方は、前記肌面シートには形成されていない、請求項４に記載の吸収性物品。
【請求項６】
前記第１圧着部は、前記幅方向に沿って、前記吸収体の一端から他端まで延びている、請求項４又は５に記載の吸収性物品。
【請求項７】
前記第２低目付領域を挟んで両側に、前記前後方向に沿って延びる一対の長手圧搾部が形成されている、請求項１から６のいずれか１項に記載の吸収性物品。
【請求項８】
前記吸収体よりも非肌面側に設けられた非肌面シートと、
前記非肌面シートの非肌面側に設けられた粘着領域と、を有し、
前記第１低目付領域及び前記第２低目付領域は、前記粘着領域と重ならない領域に配置されている、請求項１から７のいずれか１項に記載の吸収性物品。
【請求項９】
前記第２低目付領域を挟んで両側に、前記前後方向に沿って延びる一対の長手圧搾部が形成されており、
前記一対の長手圧搾部は、前記粘着領域と重なる領域に設けられている、請求項８に記載の吸収性物品。
【請求項１０】
前記吸収体は、前記後側域において、前記第２低目付領域から前記幅方向の外側に延びる第３低目付領域を有する、請求項１から９のいずれか１項に記載の吸収性物品。
【請求項１１】
前記吸収体は、前記第１低目付領域よりも前側の領域において前記中心線を跨いで配置された中高部であって、中高部のまわりの吸収体の厚みよりも厚い中高部を有し、
前記中高部は、前記第１低目付領域に隣接している、請求項１から１０のいずれか１項に記載の吸収性物品。
【請求項１２】
前記吸収性物品は、前記後側域において、前記幅方向の外側に膨らんだヒップフラップを有する、請求項１から１１のいずれか１項に記載の吸収性物品。
【発明の詳細な説明】
【技術分野】
【０００１】
本発明は、生理用ナプキン等の吸収性物品に関する。
【背景技術】
【０００２】
経血やおりものなどを吸収するための生理用ナプキン、パンティーライナー、失禁パッド等の吸収性物品が知られている。吸収性物品のうち特に生理用ナプキンは、下着により着用者の体の方に押し当てられ、着用者の体にフィットされる（下記特許文献１）。生理用ナプキンのような吸収性物品は、表面シート、裏面シート及び吸収体を有する。吸収体は、表面シートと裏面シートとの間に設けられている。吸収体は、肌当接面側に凸状に突出する中高部を有している。中高部は、中高部以外の領域よりも厚みが厚い吸収体の一部分である。中高部は、吸収性物品の前方及び後方に、それぞれ別個に設けられている。前方の中高部と後方の中高部との間に、折り曲げ起点が設けられている。折り曲げ起点は、エンボス加工によって表面シートと吸収体とを互いに接合するための凹部である。
【先行技術文献】
【特許文献】
【０００３】
【特許文献１】特開２００６−２３９１６２号公報
【発明の概要】
【発明が解決しようとする課題】
【０００４】
特許文献１に記載された吸収性物品では、前方の中高部は着用者の股下、すなわち膣口対向域に配置され、後方の中高部は着用者の股下よりも後ろ上方の臀部の割れ目に配置される。これにより、吸収体を臀部の臀裂に沿ってフィットさせている。
【０００５】
しかしながら、着用者が寝た姿勢において、後方の中高部は着用者の臀部の真下、すなわち臀部と床との間に配置される。中高部は特に剛性の高い領域を構成する。したがって、着用者は、寝た姿勢において、違和感を覚え易い。
【０００６】
そこで、寝た姿勢において違和感を覚え難く、吸収体を臀裂に沿ってフィットさせ易い吸収性物品が望まれる。
【課題を解決するための手段】
【０００７】
一態様に係る吸収性物品は、互いに直交する前後方向及び幅方向と、着用者の排泄口と対向する排泄口当接域と、前記排泄口当接域の後側に位置する後側域と、少なくとも前記排泄口当接域及び前記後側域に配置される吸収体と、を有し、前記吸収体は、前記排泄口当接域と前記後側域との間において前記幅方向に延びる第１の低目付領域と、前記後側域において前記幅方向の中心を結ぶ中心線に沿って前記前後方向に延びる第２の低目付領域と、を有しており、前記第２の低目付領域は、前記第１の低目付領域と繋がっている。
【０００８】
ここで、「低目付領域」は、その周囲の吸収コアよりも低い目付を有する吸収コアからなる領域、又は吸収コアを有していない領域（すなわち目付が零の領域）を意味するものとする。
【０００９】
別の態様に係る吸収性物品は、互いに直交する前後方向及び幅方向と、吸収体と、前記幅方向における前記吸収体の外側縁よりも前記幅方向の外側に延出し、使用時に折り返し可能なウイングと、前記前後方向における前記ウイングの前端縁と前記ウイングの後端縁との間の領域であるウイング域と、前記ウイング域よりも後側に位置する後側域と、を有し、前記吸収体は、前記前後方向における前記ウイングの中心よりも後側、かつ前記前後方向における前記後側域の中心よりも前側において、前記幅方向に延びる第１低目付領域と、前記後側域において前記幅方向の中心を結ぶ中心線に沿って前記前後方向における前記後側域の中心よりも後側まで延びる第２低目付領域と、を有しており、前記第２低目付領域は、前記第１低目付領域と繋がっている。
【発明の効果】
【００１０】
上記態様によれば、寝た姿勢において違和感を覚え難く、吸収体を臀裂に沿ってフィットさせ易い吸収性物品を提供することができる。
【図面の簡単な説明】
【００１１】
【図１】一実施形態における吸収性物品の平面図である。
【図２】図１とは反対側から見た吸収性物品の平面図である。
【図３】図１の３Ａ−３Ａ線に沿った吸収性物品の断面図である。
【図４】一実施形態における吸収体の平面図である。
【図５】使用中の吸収性物品の斜視図である。
【図６】使用中の吸収性物品の、図１の６Ａ−６Ａ線に沿った模式的断面図である。
【図７】使用中の吸収性物品の、図１の７Ａ−７Ａ線に沿った模式的断面図である。
【図８】使用中の吸収性物品の、図１の３Ａ−３Ａ線に沿った模式的断面図である。
【図９】図１の折り線ＦＬに沿って折り畳まれた吸収性物品の平面図である。
【図１０】図９の折り線Ｆ１〜Ｆ３に沿って折り畳まれた吸収性物品の模式的側面図である。
【発明を実施するための形態】
【００１２】
以下、図面を参照して、実施形態に係る吸収性物品ついて説明する。吸収性物品は、パンティーライナー（おりものシート）や生理用ナプキンや失禁パッド等の任意の吸収性物品であってよい。以下の実施形態では、吸収性物品の一例として使い捨ての生理用ナプキンについて説明する。
【００１３】
なお、以下の図面の記載において、同一又は類似の部分には、同一又は類似の符号を付している。ただし、図面は模式的なものであり、各寸法の比率等は現実のものとは異なる場合があることに留意すべきである。したがって、具体的な寸法等は、以下の説明を参酌して判断すべきである。また、図面相互間においても互いの寸法の関係や比率が異なる部分が含まれ得る。
【００１４】
（１）吸収性物品の全体的構成
図１は、一実施形態における吸収性物品の平面図である。図２は、図１とは反対側から見た吸収性物品の平面図である。図３は、図１の３Ａ−３Ａ線に沿った吸収性物品の断面図である。
【００１５】
吸収性物品１は、前後方向Ｌと幅方向Ｗと厚み方向Ｔとを有する。前後方向Ｌは、着用者の前側（腹側）から後側（背側）に延びる方向、又は着用者の後側から前側に延びる方向である。幅方向Ｗは、前後方向Ｌと直交する方向である。厚み方向Ｔは、着用者の肌面側Ｔ１から非肌面側Ｔ２へ延びる方向であり、前後方向Ｌ及び幅方向Ｗに直交する方向である。肌面側Ｔ１は、使用時に、着用者の肌に面する側に相当する。非肌面側Ｔ２は、使用時に、肌面側Ｔ１とは反対側、すなわち着用者の肌とは反対に向けられる側に相当する。
【００１６】
吸収性物品１は、排泄口当接域Ｓ１、前側域Ｓ２及び後側域Ｓ３を有する。排泄口当接域Ｓ１は、着用者の排泄口（例えば膣口）に対向する領域である。吸収性物品が下着に装着されたときに、排泄口当接域Ｓ１は、下着の股下部に位置する。つまり、排泄口当接域は、着用者の股下、すなわち着用者の両足の間に配置される領域である。
【００１７】
前側域Ｓ２は、排泄口当接域Ｓ１よりも前側に位置する。前側域Ｓ２の前端縁は吸収性物品１の前端縁を規定する。後側域Ｓ３は、排泄口当接域Ｓ１よりも後側に位置する。後側域Ｓ３の後端縁は吸収性物品１の後端縁を規定する。後側域Ｓ３の前後方向Ｌの長さは、排泄口当接域Ｓ１の前後方向Ｌの長さよりも長くなっていてよい。
【００１８】
排泄口当接域Ｓ１には、後述するウイング３が設けられていてよい。また、後側域Ｓ３には、幅方向Ｗの外側に膨らんだヒップフラップ４が設けられていてよい。
【００１９】
ウイング３の前端縁は、ウイング３の付け根によって規定されており、最も幅方向Ｗの内側に窪んだ２つの部分のうち、前側に位置する部分に相当する。ウイング３の前端縁は、排泄口当接域Ｓ１と前側域Ｓ２との境界を規定していてもよい。ウイング３の後端縁は、ウイング３の付け根によって規定されており、最も幅方向Ｗの内側に窪んだ２つの部分のうち、後側に位置する部分に相当する。ウイング３の後端縁は、排泄口当接域Ｓ１と後側域Ｓ３との間に位置していてよい。ここで、前後方向Ｌにおけるウイング３の前端縁とウイング３の後端縁との間の領域を「ウイング域」と称する。ウイングを有する吸収性物品では、排泄口当接域Ｓ１は、ウイング域と実質的に同じ領域となる。したがって、本明細書において、「排泄口当接域Ｓ１」との語は、「ウイング域」と読み替えることができることに留意すべきである。
【００２０】
吸収性物品１は、肌面シート１０、非肌面シート２０及び吸収体３０を有する。肌面シート１０は、吸収体３０よりも肌面側Ｔ１に設けられる。非肌面シート２０は、吸収体３０よりも非肌面側Ｔ２に設けられる。吸収体３０は、肌面シート１０と非肌面シート２０との間に設けられる。
【００２１】
肌面シート１０は、表面シート１１、サイドシート１２及びセカンドシート１３を有していてよい。表面シート１１は、体液等の液体を透過する液透過性のシートである。表面シート１１は、幅方向Ｗにおける吸収体３０の中央部を覆う。表面シート１１は、前後方向Ｌに前側域Ｓ２から後側域Ｓ３まで延びていてよい。
【００２２】
表面シート１１は、不織布、織布、有孔プラスチックシート、メッシュシート等、液体を透過する構造を有する任意のシート状の材料から構成される。織布や不織布の素材としては、天然繊維、化学繊維のいずれも使用できる。
【００２３】
サイドシート１２は、幅方向Ｗにおける表面シート１１の外側縁を覆い、表面シート１１よりも幅方向Ｗの外側へ延びている。なお、本実施形態では、吸収性物品１はサイドシート１２を有しているが、吸収性物品１はサイドシート１２を有していなくてもよい。この場合、表面シート１１は吸収体３０全体を覆っていてよい。
【００２４】
サイドシート１２は、表面シート１１と同様の材料から構成することができる。ただし、表面シート１１に付着した体液が、サイドシート１２を乗り越えて、幅方向Ｗにおいて吸収性物品１の外側へ漏れ出すことを防止するためには、サイドシート１２は、疎水性又は撥水性を有することが好ましい。サイドシート１２は、幅方向Ｗにおける吸収体３０の外側縁、ウイング３及びヒップフラップ４に配置されていてよい。
【００２５】
セカンドシート１３は、少なくとも後述する非接合領域４６において、表面シート１１と吸収体３０との間に設けられている。セカンドシート１３は、前後方向Ｌに前側域Ｓ２から後側域Ｓ３まで延びていてよい。この代わりに、セカンドシート１３は、後述する非接合領域４６にのみ設けられていてもよい。また、セカンドシート１３は、幅方向Ｗにおいて、後述の吸収コア３１の幅よりも狭いことが好ましい。
【００２６】
セカンドシート１３は、体液等の液体を透過する液透過性のシートである。好ましくは、セカンドシート１３の親水度は表面シート１１の親水度よりも高い。具体的には、セカンドシート１３の親水度は、少なくとも後述する非接合領域４６において、表面シート１１の親水度よりも高ければよい。セカンドシート１３は、表面シート１１と同様の材料から構成することができる。
【００２７】
非肌面シート２０は、液不透過性のシートである。非肌面シート２０は、ポリエチレンシート、ポリプロピレン等を主体としたラミネート不織布、通気性の樹脂フィルム、スパンボンド、又はスパンレース等の不織布に通気性の樹脂フィルムが接合されたシートなどを用いることができる。
【００２８】
吸収体３０は、少なくとも排泄口当接域Ｓ１及び後側域Ｓ３に配置される。また、吸収体３０は、排泄口当接域Ｓ１から前側域Ｓ２まで延びていてもよい。吸収体３０は、液体を吸収する吸収材料を含む吸収コア３１と、吸収コア３１を包むコアラップ３２と、を有する。コアラップ３１は、少なくとも吸収コア３１よりも肌面側で吸収コア３１を覆っていればよい。具体的一例として、コアラップ３２は、吸収コア３１よりも肌面側に配置されるシートと、吸収コア３１よりも非肌面側に配置されるシートと、を有していてよい。コアラップ３２を構成する肌面側のシートと非肌面側のシートは、同一のシートから構成されていてもよい。吸収コア３１を構成する吸収材料は、例えば、親水性繊維、パルプ及び高吸水性高分子（ＳＡＰ）から形成できる。コアラップ３２は、例えば不織布やティッシュシートから構成することができる。
【００２９】
上記実施形態の代わりに、吸収体３０は、コアラップ３１を有していなくてもよい。この場合、吸収コア３１は、肌面シート１０と非肌面シート２０とによって覆われていればよい。
【００３０】
前述したように、吸収性物品１は、ウイング３及びヒップフラップ４を有する。ウイング３及びヒップフラップ４は、排泄口当接域Ｓ１における吸収コア３１の外側縁よりも幅方向Ｗの外側に延出している。
【００３１】
ウイング３及びヒップフラップ４は、サイドシート１２と非肌面シート２０との積層によって構成されていてよい。ウイング３は、非肌面シート２０側に折り返し可能に構成されている。ウイング３は、使用時に下着のクロッチ部の非肌面側に折り返される。
【００３２】
ヒップフラップ４は、ウイング３よりも後側に位置し、後側域Ｓ３に設けられている。ヒップフラップ４は、使用時に折り返されず、下着と着用者の臀部との間に配置される。本実施形態では、ヒップフラップ４には吸収材料が設けられていない。この代わりに、ヒップフラップ４には、吸収材料が設けられていてもよい。
【００３３】
（２）吸収体の詳細構成
次に、図１〜図４を参照し、吸収体３０の構成についてより具体的に説明する。図４は、一実施形態における吸収体３０の平面図である。吸収体３０は、少なくとも排泄口当接域Ｓ１に、中高部３３を有する。中高部３３は、排泄口当接域Ｓ１から前側域Ｓ２へ延びていてもよい。中高部３３は、排泄口当接域Ｓ１において、中心線ＣＬを跨いで配置されている。中高部３３は、中高部３３のまわりの領域の吸収コア３１の厚みよりも吸収コア３１の厚みが厚い領域を意味する。中高部３３の吸収材料の目付は、排泄口当接域Ｓ１内の中高部３３以外の領域における吸収コア３１の目付よりも高くてもよい。中高部３３は、後述する第１低目付領域４１に隣接していてよい。好ましくは、第１低目付領域４１の後側の吸収コア３１は、中高部３３の厚みよりも薄い。より好ましくは、後側域Ｓ３全体の吸収コア３１は、中高部３３の厚みよりも薄い。中高部３３は、最も厚みが厚い最高部と、最高部へ繋がる傾斜部と、を有する。この傾斜部は、最高部と後述の前側圧搾部との間、及び最高部と第１低目付領域４１との間に配置されていてよい。
【００３４】
吸収体３０は、第１低目付領域４１、第２低目付領域４２及び第３低目付領域４３を有していてよい。ここで、「低目付領域」は、その周囲の吸収コア３１よりも低い目付を有する吸収コア３１からなる領域、又は吸収コア３１を有していない領域を意味する。このように、「低目付領域」は、吸収コア３１の目付が零である領域を含む概念である。
【００３５】
低目付領域４１〜４３における吸収コア３１の目付は、好ましくは１５０ｇ／ｍ２以下、より好ましくは、１００ｇ／ｍ２以下である。また、低目付領域４１〜４３における吸収コア３１の目付は、実質的に０ｇ／ｍ２であることがさらに好ましい。また、低目付領域４１〜４３における吸収コア３１の目付は、低目付領域４１〜４３のまわりの吸収コア（中高部を除く）の目付の６０％以下であることが好ましく、５０％以下であることがより好ましい。
【００３６】
「低目付領域」が吸収コア３１を有していない領域である場合でも、コアラップ３２は、低目付領域を跨いで吸収コア３１全体を包んでいてよい。この場合、吸収コア３１が複数の領域に分断されていたとしても、吸収体３０は、コアラップ３２によって一体的に形成される。
【００３７】
第１低目付領域４１、第２低目付領域４２及び第３低目付領域４３は、吸収体３０の剛性が変化する境目となる。したがって、第１低目付領域４１、第２低目付領域４２及び第３低目付領域４３は、吸収体３０が変形し易い領域に相当する。
【００３８】
第１低目付領域４１は、排泄口当接域Ｓ１と後側域Ｓ３との間において幅方向Ｗに延びている。第１低目付領域４１は、幅方向Ｗに沿って直線的に延びていてもよいし、幅方向Ｗに沿って曲線的に延びていてもよい。
【００３９】
第１低目付領域４１は、前後方向Ｌにおけるウイング３の中心よりも後側かつ吸収体３０の後側縁よりも前側に設けられていてよい。第１低目付領域４１は、前後方向Ｌにおいて、ウイング３の後端縁を跨ぐように設けられていてもよい。
【００４０】
本実施形態では、第１低目付領域４１は、第１低目付領域４１の幅方向Ｗの中央が後方に突出した曲線形状である。より詳細には、第１低目付領域４１の幅方向Ｗの中心は、第１低目付領域４１の外側縁よりも後方に位置する。第１低目付領域４１の前後方向Ｌにおける長さは、一定であってもよいし、一定でなくてもよい。
【００４１】
好ましくは、幅方向Ｗにおける第１低目付領域４１の長さは、２５ｍｍ以上である。これにより、排泄口当接域Ｓ１における吸収体３０の動きが、後側域Ｓ３に伝わることを抑制できる。より好ましくは、第１低目付領域４１は、幅方向Ｗにおいて、吸収体３０の一端から他端まで延びている。この場合、第１低目付領域４１の前端縁が排泄口当接域Ｓ１の後端縁を規定していてもよく、第１低目付領域４１の後端縁が後側域Ｓ３の前端縁を規定していてもよい。
【００４２】
前後方向Ｌにおける第１低目付領域４１の長さは、吸収性物品１の中心線ＣＬの位置で、好ましくは１０ｍｍ以上かつ５０ｍｍ以下であり、より好ましくは１０ｍｍ以上かつ３０ｍｍ以下である。
【００４３】
第２低目付領域４２は、後側域Ｓ３において、吸収性物品の中心線ＣＬに沿って前後方向Ｌに延びている。第２低目付領域４２は、前後方向Ｌに直線的に延びていてよい。第２低目付領域４２は、第１低目付領域４１と繋がっていることが好ましい。
【００４４】
第２低目付領域４２の後端縁は、前後方向における後側域Ｓ３の中心よりも後側に位置していてよい。また、第２低目付領域４２の後端縁は、ヒップフラップ４の最大幅の位置Ｐ１よりも後側に位置していてもよい。第２低目付領域４２の前後方向Ｌの長さは、１２０ｍｍ以上であることが好ましく、１５０ｍｍ以上であることがより好ましい。好ましくは、幅方向Ｗにおける第２低目付領域４２の長さは、１ｍｍ以上かつ１５ｍｍ以下である。着用者の身体の前後方向Ｌに沿った断面において、臀部間の溝（臀裂）は、会陰部よりも後方から尾てい骨に至る領域に存在する。吸収性物品の使用中に、第２低目付領域４２は、着用者の臀裂の領域に配置される。
【００４５】
第３低目付領域４３は、後側域Ｓ３において、第２低目付領域４２から幅方向Ｗの外側に延びている。第３低目付領域４３は、第２低目付領域４２に繋がっていてよい。第３低目付領域４３の前側の縁線は、幅方向Ｗの内側において、幅方向Ｗに実質的に平行に延びていてよい。また、第３低目付領域４３の前側の縁線は、幅方向Ｗの外側において、前方に張り出していてよい。第３低目付領域４３の後側の縁線は、幅方向Ｗの内側から外側に向かうにつれて、前方に傾斜していてよい。
【００４６】
幅方向Ｗにおける第３低目付領域４３の外側縁は、後側域Ｓ３の吸収コア３１の外側縁よりも内側に位置する。第３低目付領域４３は、前後方向Ｌに間隔を空けて複数設けられていてよい。
【００４７】
吸収性物品１は、コアラップ３２の、吸収コア３１よりも肌面側のシートと、コアラップ３２の、吸収コア３１よりも非肌面側のシートとを、互いに圧着した圧着部５１，５２，５３を有していてよい（図４参照）。
【００４８】
第１圧着部５１は、第１低目付領域４１に沿って幅方向Ｗに延びている。前後方向Ｌにおける第１圧着部５１の幅は、前後方向Ｌにおける第１低目付領域４１の幅よりも小さいことが好ましい。また、第１圧着部５１は、幅方向Ｗに沿って、吸収体３０の一端から他端まで連続的に延びていることが好ましい。
【００４９】
第２圧着部５２は、第２低目付領域４２に沿って前後方向Ｌに延びている。幅方向Ｗにおける第２圧着部５２の幅は、幅方向Ｗにおける第２低目付領域４２の幅よりも小さいことが好ましい。第２圧着部５２は、第１圧着部５１と繋がっていてよい。
【００５０】
第３圧着部５３は、第３低目付領域４３に沿って延びている。前後方向Ｌにおける第３圧着部５３の幅は、前後方向Ｌにおける第３低目付領域４３の幅よりも小さいことが好ましい。第３圧着部５３は、第２圧着部５２と繋がっていてよい。
【００５１】
第１圧着部５１、第２圧着部５２及び／又は第３圧着部５３は、肌面シート１０には形成されていないことが好ましい。より具体的には、第１圧着部５１、第２圧着部５２及び／又は第３圧着部５３は、コアラップ３２のみ、又は吸収コア３１とコアラップ３２のみを圧着することによって形成されていることが好ましい。低目付領域４１，４２，４３に吸収コアが存在する場合、圧着部５１，５２，５３は、低目付領域４１，４２，４３の吸収コアとコアラップ３２とを一緒に圧着した部分であってよい。低目付領域４１，４２，４３に吸収コアが存在しない場合には、圧着部５１，５２，５３は、コアラップ３２のみを圧着した部分であってよい。この場合、吸収コア３１は、低目付領域４１，４２，４３及び圧着部５１，５２，５３を境に、互いに分断される。圧着部５１，５２，５３は、エンボス加工によって形成することができる。なお、圧着部５１，５２，５３は、肌面シート１０で覆われているため、外部から視認できない又は視認し難くなっている。なお、上記実施形態の代わりに、第１圧着部５１、第２圧着部５２及び／又は第３圧着部５３は、肌面シート１０及び／又は非肌面シート２０に形成されていてもよい。
【００５２】
（３）表面シートと吸収体との間の非接合領域
肌面シート１０は、第１低目付領域４１において、肌面シート１０よりも非肌面側に設けられた部材と接合されていない非接合領域４６を有する（図１及び図３参照）。より具体的には、肌面シート１０は、非接合領域４６において、コアラップ３２と接合されていない。非接合領域４６は、図１において、破線で囲まれた領域によって示されている。
【００５３】
非接合領域４６は、少なくとも、幅方向Ｗにおける第１低目付領域４１の一端から他端まで延びていてよい。この代わりに、非接合領域４６は、幅方向Ｗにおいて第１低目付領域４１の両端部まで延びていなくてもよい。非接合領域４６は、少なくとも、第１低目付領域４１から、複数の第３低目付領域４３のうちの最も第１低目付領域４１に近い第３低目付領域４３まで延びていてよい。これにより、第１低目付領域４１とその後側の領域において、肌面シート１０は、吸収体３０から浮き上がることができるようになる。
【００５４】
（４）圧搾部
吸収性物品１は、少なくとも吸収コア３１が厚み方向Ｔに圧縮されることによって形成された圧搾部を有する。この圧搾部は、前側圧搾部８１と、長手圧搾部８２と、一対の後側圧搾部８４と、を有していてよい（図１及び図４参照）。
【００５５】
前側圧搾部８１は、少なくとも排泄口当接域Ｓ１に設けられている。前側圧搾部８１は、排泄口当接域Ｓ１から前側域Ｓ２へ延びていてもよい。前側圧搾部８１は、表面シート１１と吸収コア３１とコアラップ３２とが厚み方向Ｔに圧縮されることによって形成されていてよい。前側圧搾部８１は、中高部３３の幅方向Ｗ両側に設けられた前後方向Ｌに沿った区間を有する。前側圧搾部８１は、中高部３３の幅方向Ｗにおける側縁を規定していてよい。
【００５６】
前側圧搾部８１は、吸収コア３１の前端縁付近で幅方向Ｗに向かって曲がっており、Ｕ字型に連続的に繋がっている。この代わりに、前側圧搾部８１は、中高部３３の幅方向Ｗ両側に、別個に設けられていてもよい。すなわち、一対の前側圧搾部８１が、互いに分断された形態で、別個に設けられていてもよい。
【００５７】
長手圧搾部８２は、後側域Ｓ３で、中心線ＣＬ、より具体的には第２低目付領域４２を挟んで両側に設けられている。長手圧搾部８２は、吸収体３０と表面シート１１とが厚み方向に圧縮されることによって形成されていてよい。
【００５８】
長手圧搾部８２は、前後方向Ｌに沿って延びている。長手圧搾部８２は、前後方向Ｌに直線的に延びていてもよいし、前後方向Ｌに対して傾斜して曲線的に延びていてもよい。長手圧搾部８２は、ヒップフラップ４の最大幅の位置Ｐ１よりも前側に形成されていてよい。
【００５９】
一対の後側圧搾部８４は、後側域Ｓ３で、中心線ＣＬを挟んで両側に設けられている。後側圧搾部８４は、吸収体３０と表面シート１１とが厚み方向に圧縮されることによって形成されていてよい。一対の後側圧搾部８４は、吸収性物品の幅方向Ｗの中心を通る中心線ＣＬを挟んで互いに離間して設けられている。一対の後側圧搾部８４は、ヒップフラップ４の最大幅の位置Ｐ１よりも後側に位置していてよい。
【００６０】
吸収性物品１は、肌面シート１０及び非肌面シート２０を構成するシートのうちの少なくとも２枚を厚み方向Ｔに圧着することによって形成された第１の圧搾部８５、第２の圧搾部８７及び第３の圧搾部８６を有していてもよい（図１参照）。第１の圧搾部８５、第２の圧搾部８７及び第３の圧搾部８６は、ヒップフラップ４の外縁に沿って形成されていてよい。
【００６１】
吸収性物品１は、少なくとも第１低目付領域４１において、肌面シート１０を圧搾することによって形成された圧搾部８８を有していてよい。圧搾部８８は、肌面シート１０にのみ形成されていることが好ましい（図１参照）。
【００６２】
圧搾部８８は、前後方向Ｌにおいて、第１低目付領域４１をわずかに超えて前側へ達していてもよいが、中高部３３よりは後側に存在することが好ましい。圧搾部８８は、少なくとも、第１低目付領域４１から、複数の第３低目付領域４３のうちの最も第１低目付領域４１に近い第３低目付領域４３まで延びていてもよい。圧搾部８８は、実質的に非接合領域４６と同等の領域か、非接合領域４６よりも狭い領域に形成されていてよい。
【００６３】
圧搾部８８は、少なくとも第１低目付領域４１において、前後方向Ｌに連続して形成されていることが好ましい。ここで、圧搾部８８は、前後方向Ｌに連続していれば、直線的に形成されている必要はない。例えば、圧搾部８８は、図１に示すように、前後方向Ｌにおいてジグザグ形状であってもよい。これに代えて、圧搾部８８は、少なくとも第１低目付領域４１において、前後方向Ｌに直線的に連続して形成されていてもよい。
【００６４】
好ましくは、圧搾部８８は、図１に示すように、格子状に形成されている。具体的には、圧搾部８８は、前後方向に対して傾斜した複数の第１直線パターンと、前後方向及び第１直線パターンに対して傾斜した複数の第２直線パターンと、を有していてよい。圧搾部８８は、セカンドシート１３の領域よりも狭い領域に設けられていることが好ましい。
【００６５】
（５）粘着領域
図２に示すように、吸収性物品１は、吸収性物品１を下着Ｓに止めるための粘着剤が設けられた第１本体粘着領域６１、第２本体粘着領域６２、ウイング粘着領域６３及びヒップフラップ粘着領域６４を有する。これらの粘着領域６１〜６４は、非肌面シート２０の非肌面側に設けられている。粘着領域６１〜６４は、使用前の状態において、剥離シートによって覆われていてもよい。剥離シートは、使用前に粘着領域６１〜６４の粘着剤の劣化を防止する。剥離シートは、使用時に、着用者によって取り外される。
【００６６】
第１本体粘着領域６１は、第２本体粘着領域６２よりも前方に配置されている。第１本体粘着領域６１及び第２本体粘着領域６２は、前後方向Ｌに延びている。第１本体粘着領域６１は、第２本体粘着領域６２から前後方向Ｌに離間して配置されている。第１本体粘着領域６１は、第１低目付領域４１よりも前側で、排泄口当接域Ｓ１と前側域Ｓ２に跨って配置されていてよい。第２本体粘着領域６２は、第１低目付領域４１よりも後側で、後側域Ｓ３に配置されている。第１本体粘着領域６１及び第２本体粘着領域６２は、中心線ＣＬ上に設けられていないことが好ましい。ウイング粘着領域６３はウイング３に設けられている。ヒップフラップ粘着領域６４はヒップフラップ４に設けられている。
【００６７】
第１低目付領域４１は、厚み方向Ｔにおいて、粘着領域６１〜６４と重ならない領域に配置されていることが好ましい。より具体的には、第１低目付領域４１は、第１本体粘着領域６１と第２本体粘着領域６２との間の領域に設けられている。
【００６８】
第２低目付領域４２は、厚み方向Ｔにおいて、粘着領域６１〜６４と重ならない領域に配置されていることが好ましい。より具体的には、第２低目付領域４２は、複数の第２本体粘着領域６２どうしの間に設けられている。
【００６９】
一対の長手圧搾部８２は、第２本体粘着領域６２と重なる領域に設けられていることが好ましい。
【００７０】
（６）着用中の吸収性物品
次に、図５〜図８を参照し、着用中の吸収性物品の形状について説明する。図５は、使用中の吸収性物品の斜視図である。図６は、使用中の吸収性物品の、図１の６Ａ−６Ａ線に沿った模式的断面図である。図７は、使用中の吸収性物品の、図１の７Ａ−７Ａ線に沿った模式的断面図である。図８は、使用中の吸収性物品の、図１の３Ａ−３Ａ線に沿った模式的断面図である。なお、図６，７では、着用者の身体の形状を示すラインを二点鎖線で示している。
【００７１】
生理用ナプキンとしての吸収性物品１を着用する際、吸収性物品１は下着Ｓに固定される。吸収性物品１の排泄口当接域Ｓ１は、着用者の両足によって挟まれ、幅方向Ｗの外側から幅方向Ｗの内側に向かう力を受ける。
【００７２】
吸収性物品１の幅方向Ｗに沿った着用者の身体の断面形状は、股下近傍と臀部近傍とで異なる。具体的には、着用者の股下の陰裂(経血が出る膣口あたり)近辺の身体の断面形状は、大陰唇が大陰唇の付け根よりも出っ張っており、吸収性物品１側に突出する凸形状である。この着用者の股下域に、吸収性物品の排泄口当接域Ｓ１が対向して配置される。着用者の股下においては、排泄口当接域Ｓ１の吸収コア３１、特に中高部３３が身体に沿って配置され、股下における体液の漏れを抑制できる（図６参照）。
【００７３】
着用者の大陰唇より後方に位置する会陰部よりも後方には、肛門や臀裂が位置する。この会陰部よりも後方近辺の身体の断面形状は、幅方向の中心が窪んだ形状である。この着用者の臀部に、吸収性物品の後側域Ｓ３が対向して配置される。
【００７４】
後側域Ｓ３では、中心線ＣＬに沿って前後方向Ｌに延びる第２低目付領域４２が形成されている。そのため、吸収性物品の外側から内側に向かう力により、幅方向Ｗにおける後側域Ｓ３の中心は、着用者の体に向けて突出し易い（図７参照）。これにより、後側域Ｓ３では、吸収性物品１は、着用者の臀裂の形状に合わせて変形することができる。その結果、着用者は、臀部においても、吸収性物品１との心地よいフィット感を得られる。
【００７５】
ここで、吸収性物品１は、排泄口当接域Ｓ１と後側域Ｓ３とで、着用者の体の形状に合わせて異なる形状に変化しようとする。第１低目付領域４１は、排泄口当接域Ｓ１における吸収体３０の変形が、後側域Ｓ３における吸収体３０の変形に与える影響を抑制している。すなわち、第１低目付領域４１によって、排泄口当接域Ｓ１と後側域Ｓ３とで、吸収性物品が独立して変形し易くなっている。
【００７６】
また、夜用の生理用ナプキンは、仰向けの寝姿勢で使用されることが多い。着用者が仰向けに寝ている姿勢では、臀部と吸収性物品１との間に隙間ができやすい。
【００７７】
具体的には、寝た姿勢において着用者の臀部は床によって押しつぶされるため、この臀部からの力によって吸収性物品１の後側域Ｓ３が排泄口当接域Ｓ１の方へ若干移動することがある。これにより、排泄口当接域Ｓ１と後側域Ｓ３との間の領域付近で、前後方向Ｌに歪みが生じる。この歪みにより、排泄口当接域Ｓ１と後側域Ｓ３との間の領域付近で、吸収性物品１と臀部との間に隙間が生じ得る。
【００７８】
臀部と吸収性物品との間に隙間が生じていると、経血が身体を伝わって背側後方に伝わり、吸収性物品の後ろから漏れてしまうおそれがある。また、着用者は、経血が身体を伝わっているということを感じ取り、不安感を覚えることがある。
【００７９】
一実施形態に係る吸収性物品１では、少なくとも第１低目付領域Ｓ１のところに肌面シート１０の非接合領域４６が存在する。そのため、吸収性物品の後側域Ｓ３が排泄口当接域Ｓ１の方へ移動したときに、肌面シート１０の非接合領域４６が着用者の身体に向けて突出する（図８の符号「４７」参照）。この肌面シート１０の突出部２７が、着用者の身体との間の隙間を埋める。これにより、寝た姿勢であっても、経血が身体を伝わって背側後方に伝わることを抑制できる。
【００８０】
（７）吸収性物品の折り畳み
吸収性物品１は、折り畳まれた状態で個別に包装されていてもよい。以下、図１，２，９，１０を参照し、吸収性物品１の折り畳みについて説明する。図９は、図１の折り線ＦＬに沿って折り畳まれた吸収性物品１の平面図である。図１０は、図９の折り線Ｆ１〜Ｆ３に沿って折り畳まれた吸収性物品の模式的側面図である。
【００８１】
吸収性物品１は、前後方向Ｌに沿って延びる前後折り線ＦＬと、幅方向Ｗに沿って延びる第１折り線Ｆ１、第２折り線Ｆ２及び第３折り線Ｆ３と、を有していてよい。これらの折り線ＦＬ，Ｆ１，Ｆ２，Ｆ３は、吸収性物品１を折り畳むためのラインである。
【００８２】
前後折り線ＦＬは、幅方向Ｗにおける吸収体３０の外側端よりも外側に設けられていてよい。また、前後折り線ＦＬは、第１の圧搾部８５、第２の圧搾部８７及び第３の圧搾部８６よりも、幅方向Ｗの内側に設けられていてよい。
【００８３】
第１折り線Ｆ１は、第２折り線Ｆ２よりも後側に設けられている。第１折り線Ｆ１は、ヒップフラップ４の最大幅Ｐ１よりも後側の領域に設けられていてよい。また、第１折り線Ｆ１は、前後方向Ｌにおいて、長手圧搾部８２と後側圧搾部８４との間に設けられていてもよい。第１折り線Ｆ１は、第３低目付領域４３を通っていることが好ましい。なお、前後方向Ｌにおける後側域Ｓ３の長さが比較的短い吸収性物品１では、第１折り線Ｆ１は、設けられていなくてもよい。
【００８４】
第２折り線Ｆ２は、前後方向Ｌにおいて、第１折り線Ｆ１と第３折り線Ｆ３との間に設けられている。第２折り線Ｆ２は、非接合領域４６のうちの第１低目付領域４１よりも後側の領域を通っている。第２折り線Ｆ２は、一対の長手圧搾部８２よりも前側に配置されていてよい。第２折り線Ｆ２は、第２本体粘着領域６２上を通っていることが好ましい。
【００８５】
第３折り線Ｆ３は、第２折り線Ｆ２よりも前側に設けられている。第３折り線Ｆ３は、中高部３３の最高部よりも前側に設けられていてよい。より具体的には、第３折り線Ｆ３は、中高部３３の最高部を避けており、中高部３３の最高部へ繋がる傾斜部を通っていることが好ましい。第３折り線Ｆ３は、前側域Ｓ２に設けられていてよい。
【００８６】
吸収性物品１は、非肌面側が外側に露出するように、前後折り線ＦＬを基点に内側に折り畳まれる（図９参照）。図９に示す状態から、吸収性物品１は、第１折り線Ｆ１、第２折り線Ｆ２及び第３折り線Ｆ３の順で折り畳まれることが好ましい（図１０参照）。
【００８７】
吸収性物品１が折り畳まれた状態において、吸収性物品の後側縁９２は、吸収性物品の内部に位置する。吸収性物品１が折り畳まれた状態において、吸収性物品の前側縁９１は、吸収性物品の外側に位置する。また、第１折り目Ｆ１は、折り畳まれた吸収性物品１の内部に位置する。第２折り目Ｆ２及び第３折り目Ｆ３は、折り畳まれた吸収性物品１の外側に位置する。
【００８８】
（８）作用・効果
一実施形態によれば、吸収体３０は、排泄口当接域Ｓ１と後側域Ｓ３との間において幅方向Ｗに延びる第１低目付領域４１と、後側域Ｓ３において中心線ＣＬに沿って前後方向Ｌに延びる第２低目付領域４２と、を有し、第２低目付領域４２は、第１低目付領域４１と繋がっている。別の実施形態によれば、吸収体３０は、前後方向Ｌにおけるウイング３の中心よりも後側、かつ前後方向Ｌにおける後側域Ｓ３の中心よりも前側において幅方向Ｗに延びる第１低目付領域４１と、後側域Ｓ３において中心線ＣＬに沿って前後方向Ｌにおける後側域Ｓ３の中心よりも後側まで延びる第２低目付領域４２と、を有し、第２低目付領域４２は、第１低目付領域４１と繋がっている。
【００８９】
これらの実施形態によれば、着用者が寝た姿勢において、吸収性物品の後側域Ｓ３は着用者の臀部の真下、すなわち臀部と床との間に配置される。後側域Ｓ３に形成された第２低目付領域４２は、比較的剛性が低いため、着用者に与える違和感は小さい。また、第１低目付領域４１及び第２低目付領域４２により、吸収コア３１を構成する吸収材料は、排泄口当接域Ｓ１（又はウイング域）と、後側域Ｓ３の右側部分と、後側域Ｓ３の左側部分との間で移動し難くなる。これにより、着用中の動作により、吸収コア３１を構成する吸収材料が局所的に集中することを抑制することができる。その結果、吸収性物品１の着用中に、着用者の違和感を緩和することができる。したがって、着用者は、特に寝た姿勢においても、違和感を覚え難い。
【００９０】
また、前述したように、着用中に、第２低目付領域４２は、着用者の肌側に向けて突出する。第２低目付領域４２は、後側域Ｓ３で前後方向Ｌに沿って延びているため、着用者の臀裂に沿ってフィットし易くなる。さらに、前述したように、第１低目付領域４１によって、排泄口当接域Ｓ１と後側域Ｓ３とで、吸収性物品が独立して変形し易くなっている。すなわち、吸収性物品１は、排泄口当接域Ｓ１と後側域Ｓ３とで独立に変形することで、排泄口当接域Ｓ１と後側域Ｓ３の両方で身体の形状に合わせてフィットし得る。
【００９１】
以上のように、吸収性物品は、着用者の身体になじみ、着用者に対して心地よいフィット感を与えることができるようになる。
【００９２】
一実施形態によれば、第１低目付領域４１は、幅方向Ｗに沿って、吸収体３０の一端から他端まで連続的に延びている。これにより、吸収コア３１を構成する吸収材料は、排泄口当接域Ｓ１と後側域Ｓ３との間でより移動し難くなる。したがって、着用中の動作により、吸収コア３１を構成する吸収材料が局所的に集中することをより抑制することができる。また、第１低目付領域４１が吸収体３０の一端から他端まで連続的に延びているため、排泄口当接域Ｓ１の吸収コアと後側域Ｓ３の吸収コアとが、互いに独立に変形し易くなる。したがって、排泄口当接域Ｓ１の吸収コアは着用者の股下の形状に合わせてより変形しやすく、後側域Ｓ３の吸収コアは着用者の臀部（臀裂）の形状に合わせてより変形しやすくなる。その結果、吸収性物品は、より着用者の身体になじみ、着用者に対してより心地よいフィット感を与えることができる。
【００９３】
一実施形態によれば、第１低目付領域４１は、平面視において、後方に向かって凸状に湾曲している。第１低目付領域４１の、後方に向かって凸状に湾曲した部分は、着用者が仰向け姿勢の時に、下着と共に後方に向かって凸状に膨らみ、身体から離れる方向に押し出される。これにより、仰向け姿勢時における吸収性物品の変形を吸収できる。よって、前側域Ｓ１及び排泄口当接域Ｓ１の吸収体３０が身体の丸みに追従する形状に維持され、その結果、吸収性物品全体が身体の丸みに沿って配置される。これにより、吸収性物品は、より着用者の身体になじみ、着用者に対してより心地よいフィット感を与えることができる。
【００９４】
一実施形態によれば、吸収体３０は、吸収コア３１よりも肌面側のシートと、吸収コア３１よりも非肌面側のシートとを、互いに圧着した圧着部を有する。吸収コア３１よりも肌面側のシートは、例えばコアラップ３１及び／又は肌面シート１０である。吸収コア３１よりも非肌面側のシートは、例えばコアラップ３１及び／又は非肌面シート２０である。この圧着部は、第１低目付領域４１に沿って延びた第１圧着部５１と、第２低目付領域４２に沿って延びた第２圧着部５２と、を含む。第１圧着部５１及び第２圧着部５２により、吸収コア３１は、排泄口当接域Ｓ１と、後側域Ｓ３の右側部分と、後側域Ｓ３の左側部分と、に区画される。これにより、吸収コア３１を構成する吸収材料は、排泄口当接域Ｓ１と、後側域Ｓ３の右側部分と、後側域Ｓ３の左側部分と、の間で移動することを抑制できる。これにより、着用中の動作により、吸収コア３１を構成する吸収材料が局所的に集中することを防止することができる。その結果、吸収性物品の着用中に、着用者の違和感を緩和することができる。特に、着用者が寝た姿勢においても、着用者の違和感を緩和することができ、着用者に対してより心地よいフィット感を与えることができる。
【００９５】
一実施形態によれば、少なくとも吸収コア３１よりも肌面側で吸収コア３１を覆うコアラップ３２と、コアラップ３２よりも肌面側に設けられた肌面シート１０と、を有する。第１圧着部５１及び第２圧着部５２の少なくとも一方は、肌面シート１０には形成されていない。これにより、第１圧着部５１及び第２圧着部５２は、吸収体３０よりも肌面側に位置する肌面シート１０で覆い隠される。これにより、吸収性物品の肌触りがよくなり、着用者に対してより心地よいフィット感を与えることができる。
【００９６】
一実施形態によれば、第１圧着部５１は、幅方向Ｗに沿って、吸収体３０の一端から他端まで延びている。これにより、吸収コア３１を構成する吸収材料は、第１低目付領域４１をより通り難くなる。すなわち、吸収材料は、排泄口当接域Ｓ１と後側域Ｓ３との間でより移動し難くなる。したがって、着用中の動作により、吸収コア３１を構成する吸収材料が局所的に集中することをより抑制することができる。
【００９７】
一実施形態によれば、第２低目付領域４２を挟んで両側に、前後方向Ｌに沿って延びる一対の長手圧搾部８２が形成されている。一対の長手圧搾部８２は、比較的剛性が高いため、吸収コア３１の変形の基点となる。一対の長手圧搾部８２の間に挟まれた第２低目付領域４２は、より着用者の身体側に隆起し易くなる。これにより、より着用者の身体になじみ、着用者に対してより心地よいフィット感を与えることができる吸収性物品を提供することができる。
【００９８】
一実施形態によれば、第１低目付領域４１及び第２低目付領域４２は、粘着領域６１，６２，６３，６４と重ならない領域に配置されている。これにより、第１低目付領域４１及び第２低目付領域４２がより変形基点として機能し得るようになる。つまり、第１低目付領域４１及び第２低目付領域４２を挟んで隣り合う吸収コア３１が互いに独立に動きやすくなる。これにより、吸収体３０が着用者の股下及び臀部の形状に合わせてよりフィットし易くなる。したがって、より着用者の身体になじみ、着用者に対してより心地よいフィット感を与えることができる吸収性物品を提供することができる。
【００９９】
一実施形態によれば、第２低目付領域４２を挟んで両側に、前後方向Ｌに沿って延びる一対の長手圧搾部８２が形成されており、一対の長手圧搾部８２は、粘着領域６２と重なる領域に設けられている。一対の長手圧搾部８２が設けられた領域が下着に止着される。これにより、吸収コア３１が一対の長手圧搾部８２を基点に変形する際に、下着によって一対の長手圧搾部８２を支持できる。変形の基点となる一対の長手圧搾部８２が支持されるため、一対の長手圧搾部８２間の領域が突出した状態を維持し易くなる。
【０１００】
一実施形態によれば、吸収体３０は、後側域Ｓ３において、第２低目付領域４２から幅方向Ｗの外側に延びる第３低目付領域４３を有する。第３低目付領域４３は、幅方向Ｗに沿って延びる変形基点を形成する。後側域Ｓ３の吸収コア３１は、第３低目付領域４３を基点に変形できるため、吸収性物品１が身体の前後方向Ｌに沿った丸みに沿ってよいフィットし易くなる。特に、図７に示すように、第２低目付領域４２が臀裂に沿って突出している場合、後側域Ｓ３を身体の前後方向Ｌに沿った丸みに沿って変形させ難くなることがある。この場合であっても、変形基点となる第３低目付領域４３によって、後側域Ｓ３を身体の前後方向Ｌに沿った丸みに合わせて変形し易くすることができる。これにより、より着用者の身体になじみ、着用者に対してより心地よいフィット感を与えることができる吸収性物品を提供することができる。
【０１０１】
一実施形態によれば、吸収体３０は、第１低目付領域４１よりも前側の領域、すなわち排泄口当接域Ｓ１又はウイング域において、中心線ＣＬを跨いで配置された中高部３３であって、中高部のまわりの吸収体３０の厚みよりも厚い中高部３３を有する。排泄口当接域Ｓ１は、着用者の股下に位置する。比較的厚みが厚い中高部３３は、着用者の股下の形状にフィットし易い。また、中高部３３は比較的剛性が高いため、中高部３３の中心線ＣＬ近傍の領域のみが局所的に変形し難い。一方で、第２低目付領域４２によって、後側域Ｓ３の吸収体３０は、中心線ＣＬ近傍の領域が臀裂に向かって突出するよう変形しやすい。このように、吸収体３０は、排泄口当接域Ｓ１と後側域Ｓ３とで異なった形状に変形しようとする。この場合であっても、第１低目付領域４１によって、吸収体３０は、排泄口当接域Ｓ１と後側域Ｓ３とで、互いに独立に変形し易くなっている。これにより、着用者の股下から臀裂にわたって吸収性物品をより着用者の身体の形状に合わせてよりフィットさせることができる。したがって、より着用者の身体になじみ、着用者に対してより心地よいフィット感を与えることができる吸収性物品を提供することができる。
【０１０２】
一実施形態によれば、吸収性物品は、後側域Ｓ３において、幅方向Ｗの外側に膨らんだヒップフラップ４を有する。ヒップフラップ４が後側域Ｓ３で広く膨らんでいるため、着用者の臀部から後側域Ｓ３へ、幅方向Ｗにおける外側から内側に向けた力がかかり易い。これにより、後側域Ｓ３の第２低目付領域４２が、着用者の臀裂に向けてより突出し易くなる。その結果、吸収性物品１は、後側域Ｓ３で着用者に臀部の形状に合わせてよりフィットし易くなる。
【０１０３】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【符号の説明】
【０１０４】
１        ：吸収性物品
１０      ：肌面シート
２０      ：非肌面シート
３０      ：吸収体
３１      ：吸収コア
３２      ：コアラップ
３３      ：中高部
４１      ：第１低目付領域
４２      ：第２低目付領域
４３      ：第３低目付領域
５１      ：第１圧着部
５２      ：第２圧着部
５３      ：第３圧着部
６１      ：第１本体粘着領域
６２      ：第２本体粘着領域
８１      ：前側圧搾部
８２      ：長手圧搾部
８４      ：後側圧搾部
Ｌ        ：前後方向
Ｗ        ：幅方向
Ｔ        ：厚み方向
Ｓ１      ：排泄口当接域
Ｓ２      ：前側域
Ｓ３      ：後側域
ＣＬ      ：中心線
【要約】
【課題】寝た姿勢において違和感を覚え難く、吸収体を臀裂に沿ってフィットさせ易い吸収性物品を提供する。
【解決手段】吸収性物品１は、互いに直交する前後方向Ｌ及び幅方向Ｗと、着用者の排泄口と対向する排泄口当接域Ｓ１と、排泄口当接域Ｓ１の後側に位置する後側域Ｓ３と、少なくとも排泄口当接域Ｓ１及び後側域Ｓ３に配置される吸収体３０と、を有する。吸収体３０は、排泄口当接域Ｓ１と後側域Ｓ３との間において幅方向Ｗに延びる第１低目付領域４１と、後側域Ｓ３において幅方向Ｗの中心を結ぶ中心線ＣＬに沿って前後方向Ｌに延びる第２低目付領域４２と、を有する。第２低目付領域４２は、第１低目付領域４１と繋がっている。
【選択図】図１【図１】
0005827770.tif 000002
【図２】
0005827770.tif 000003
【図３】
0005827770.tif 000004
【図４】
0005827770.tif 000005
【図５】
0005827770.tif 000006
【図６】
0005827770.tif 000007
【図７】
0005827770.tif 000008
【図８】
0005827770.tif 000009
【図９】
0005827770.tif 000010
【図１０】
0005827770.tif 000011